(57)【要約】  本発明は、使用者の足に対する起立面（３）を有する第１のソール部（２）を含む、靴、特に運動靴のインソール（１）であって、第１のソール部（２）は、インソール（１）が意図した通りに使用される時、垂直方向（Ｖ）において指定された第１の高さ（ｈ1）にわたって伸張する、インソールに関する。本発明の目的は、上記のインソールが使用される靴が、簡易な手段を使用して改善されたやり方で乾燥できることである。この目的は、少なくとも２つの第２のソール部（４、５）が第１のソール部（２）より下に配置され、ソールの縦方向（Ｌ）から見て、１つの第２のソール部（４）はインソール（１）の前部（６）に配置され、１つの第２のソール部（５）はインソール（１）の後部（７）に配置され、２つの第２のソール部（４、５）は、インソール（１）が意図した通りに使用される時に垂直方向（Ｖ）において指定された第２の高さ（ｈ2）にわたって伸張し、少なくとも１つの弾性要素（８）があり、これによって２つの第２のソール部（４、５）は連結され、弾性要素（８）の２つの端部（９、１０）のそれぞれは第２の高さ（ｈ2）の範囲内で対応する第２のソール部（４、５）と係合することで達成される。【選択図】図１
2019505317.tif 000002
【特許請求の範囲】
【請求項１】
靴、特に運動靴のインソール（１）であって、
使用者の足に対する起立面（３）を有する第１のソール部（２）を含み、
前記第１のソール部（２）は、前記インソール（１）が意図した通りに使用される時、垂直方向（Ｖ）において指定された第１の高さ（ｈ1）にわたって伸張し、
少なくとも２つの第２のソール部（４、５）は前記第１のソール部（２）より下に配置され、前記ソールの縦方向（Ｌ）から見て、１つの第２のソール部（４）は前記インソール（１）の前部（６）に配置され、１つの第２のソール部（５）は前記インソール（１）の後部（７）に配置され、
前記２つの第２のソール部（４、５）は、前記インソール（１）が意図した通りに使用される時に前記垂直方向（Ｖ）において指定された第２の高さ（ｈ2）にわたって伸張し、
少なくとも１つの弾性要素（８）があり、これによって前記２つの第２のソール部（４、５）は連結され、前記弾性要素（８）の２つの端部（９、１０）のそれぞれは前記第２の高さ（ｈ2）の範囲内で対応する第２のソール部（４、５）と係合することを特徴とする、インソール。
【請求項２】
前記少なくとも１つの弾性要素（８）は前記ソールの前記縦方向（Ｌ）に伸張することを特徴とする、請求項1に記載のインソール。
【請求項３】
前記少なくとも１つの弾性要素（８）はゴム紐として設計されることを特徴とする、請求項１または２に記載のインソール。
【請求項４】
前記ゴム紐（８）は平バンドとして設計されることを特徴とする、請求項３に記載のインソール。
【請求項５】
前記ゴム紐（８）の高さ（Ｈ）は、前記ゴム紐（８）の幅（Ｂ）の、せいぜい３０％、好ましくはせいぜい２０％であることを特徴とする、請求項４に記載のインソール。
【請求項６】
２つの平行に及ぶ弾性要素（８）が配置されることを特徴とする、請求項１〜５のうちいずれか一項に記載のインソール。
【請求項７】
前記少なくとも１つの弾性要素（８）はこの両端部（９、１０）の領域において前記第１のソール部（２）に接合することを特徴とする、請求項１〜６のうちいずれか一項に記載のインソール。
【請求項８】
前記２つの第２のソール部（４、５）は、第２のソール部から固定していない領域（１１）で互いに離れるように前記インソール（１）に配置されることを特徴とする、請求項１〜７のうちいずれか一項に記載のインソール。
【請求項９】
前記ソールの前記縦方向（Ｌ）に直角の水平軸（Ｑ）を中心とした前記第１のソール部（２）の曲げ剛性は、前記少なくとも１つの弾性要素（８）が前記インソール（１）に対する外力なしで前記インソール（１）をＶ字形に変形させるほど小さいように選択されることを特徴とする、請求項８に記載のインソール。
【請求項１０】
前記前部（６）に配置される前記第２のソール部（４）は、少なくとも、前記ソールの前記縦方向（Ｌ）の伸張範囲の３分の１に沿って伸張することを特徴とする、請求項１〜９のうちいずれか一項に記載のインソール。
【請求項１１】
前記後部（７）に配置される前記第２のソール部（５）は、少なくとも、前記ソールの前記縦方向（Ｌ）の伸張範囲の４分の１に沿って伸張することを特徴とする、請求項１〜１０のうちいずれか一項に記載のインソール。
【請求項１２】
前記第１のソール部（２）および前記第２のソール部（４、５）は、別個の部分として設計され、これらは互いに連結される、とりわけ接着されることを特徴とする、請求項１〜１１のうちいずれか一項に記載のインソール。
【請求項１３】
前記第２のソール部（４、５）は実質的に一定の厚さの平面材から成る、請求項１２に記載のインソール。
【請求項１４】
前記第２のソール部（４、５）は、複数の通気用凹部（１２）を備えた発泡材料から成ることを特徴とする、請求項１２または１３に記載のインソール。
【請求項１５】
前記第１のソール部（２）は、シェル形かかと領域（１３）を有する３次元部分として設計されることを特徴とする、請求項１〜１４のうちいずれか一項に記載のインソール。
【発明の詳細な説明】
【技術分野】
【０００１】
本発明は、使用者の足に対する起立面を有する第１のソール部を含む、靴、特に運動靴のインソールであって、第１のソール部は、インソールが意図した通りに使用される時、垂直方向において指定された第１の高さにわたって伸張する、インソールに関する。
【背景技術】
【０００２】
現状技術において、意図した靴の使用時に使用者の足裏が載せられるインソールを靴に設置することは周知である。このようなインソールは、例えば、発泡材料から作られる平板要素として設計可能である。この平板要素は、靴の中底、ミッドソール、またはアウターソールに適応し、着用者の足によって負荷がかけられると使用者の足より下に配置される。また、３次元形状を有し、かつ使用時の足に対してある特定のシェル形構造を形成するインソールの設計も可能である。
【０００３】
何度も靴を使用すると、とりわけサッカーの場合に、湿気が靴に入ってくる場合が生じる。この場合、水分は、とりわけ、インソールと中底との間の領域に、その結果ミッドソールに生じ得る。具体的には、サッカーシューズでは、定期的に湿り気を帯び、それ故ぬれるため、靴の（すなわち、中底の）軸部の底部と、インソールとの間に、十分な通気が行われないため、微生物およびその結果としてかびが発生する危険性が存在する。
【発明の概要】
【発明が解決しようとする課題】
【０００４】
本発明の目的は、改善されたやり方で簡易な手段によって靴の乾燥が行われ得るように、靴、とりわけ運動靴において使用するための一般的な種類のインソールをさらに開発することである。本明細書によって、微生物およびその結果としてかびがそれほど容易に発生できないようにするものとする。よって、費用を低く抑えて到達できる、改善された乾燥効果が得られるものとする。
【課題を解決するための手段】
【０００５】
本発明によるこの目的の解決策は、少なくとも２つの第２のソール部が第１のソール部より下に配置され、ソールの縦方向から見て、１つの第２のソール部はインソールの前部に配置され、１つの第２のソール部はインソールの後部に配置され、２つの第２のソール部は、インソールが意図した通りに使用される時に垂直方向において指定された第２の高さにわたって伸張し、少なくとも１つの弾性要素があり、これによって２つの第２のソール部は連結され、弾性要素の２つの端部のそれぞれは第２の高さの範囲内で対応する第２のソール部と係合することを特徴とする。
【０００６】
それによって、少なくとも１つの弾性要素は、好ましくはソールの縦方向に伸張する。
【０００７】
少なくとも１つの弾性要素は、ゴム紐として設計されるのが好ましく、このことは、このような紐が安価で入手可能であるため、経済面では有益である。そのために、ゴム紐は平バンドとして設計されるのが好ましい。この場合、好ましくは、ゴム紐の高さがゴム紐の幅の、せいぜい３０％、好ましくはせいぜい２０％であるようにする。
【０００８】
本発明の好ましい実施形態によると、２つの平行に及ぶ弾性要素が配置される。
【０００９】
少なくとも１つの弾性要素は、この両端部の領域において第１のソール部に接合可能である。
【００１０】
２つの第２のソール部は、好ましくは、第２のソール部から固定していない領域で互いに離れるようにインソールに配置される。本明細書によって、ソールの縦方向に直角の水平軸を中心とした第１のソール部の曲げ剛性が、少なくとも１つの弾性要素がインソールに対する外力なしでインソールをＶ字形に変形させるほど小さいように選択されるようにすることができる。それによって、（側面から見られる）Ｖ字形構造の２辺が約１６０度の角度を含む位置になる時に十分なものになる。
【００１１】
前部に配置される第２のソール部は、好ましくは、少なくとも、ソールの縦方向の伸張範囲の３分の１に沿って伸張可能である。とりわけ、後部に配置される第２のソール部は、少なくとも、ソールの縦方向の伸張範囲の４分の１に沿って伸張可能である。
【００１２】
第１のソール部および第２のソール部は、好ましくは、別個の部分として設計され、これらは互いに連結される、とりわけ、接着される。本明細書によって、第２のソール部が実質的に一定の厚さの平面材から成るようにすることができる。さらにまた、第２のソール部が複数の通気用凹部を備えた発泡材料から成ることが示された。
【００１３】
第１のソール部は、本発明の特別な実施形態によると、シェル形かかと領域を有する３次元部分として設計される。これにより、必然的に、第１のソール部の垂直方向高さはソールの縦方向に沿って一定である必要は全くないことになる。
【００１４】
よって、本発明によると、弾性要素（好ましくはゴム紐の形態のばね要素）が使用される。この弾性要素は、インソールにまたはインソール内に配置されかつそれに応じて一体化されることで、靴を使用しない時に、ひいてはインソールが外力を受けない時に、同弾性要素が、中底、ミッドソール、およびそれに応じてアウターソールから取り外され、かつ靴の乾燥の目的で空気を入れることができるように、上方にアーチ状にすることができるようにする。
【００１５】
靴の着用者の体重によって、インソールは、靴およびインソールそれぞれの意図される使用時に、中底、ミッドソール、およびそれに応じてアウターソール上に置かれるため、靴の使用に影響しない。
【００１６】
よって、提案されたインソールによって、本底要素とインソールとの間の外気用の開口部が、靴を脱いだ後に形成されるようにして、乾燥プロセスを実質的に促す。
【００１７】
提案されたインソールは、好ましくは、運動靴において使用され、とりわけ、湿気を帯びることが多いサッカーシューズが考慮される。よって、改善された乾燥効果を得るために、本発明による着想によって、ばね要素によってインソールが付勢されることで、靴を脱いだ後にインソールは自動的に持ち上がるため、インソールと中底との間の領域は少なくとも部分的に開放されることになる。この領域にある湿気はより良く蒸発させることができる。これは、弾性要素によって、インソールを上方にアーチ状にすることができることを意味する。有益には、インソールの底部側のみならず、靴の軸部の底部の乾燥は、実質的により容易なやり方で行われる。
【００１８】
図面には、本発明の実施形態が示されている。
【図面の簡単な説明】
【００１９】
【図１】地面に置かれ、かつ外力がかけられていないインソールの側面図である。
【図２】底部から見た、図１によるインソールの図である。
【００２０】
図において、靴、とりわけ、運動靴に使用可能であるインソール１が示されている。インソール１は、最初に切れ目なく設計された第１のソール部２を有し、これは、着用者の足裏に対する起立面３を含む。第１のソール部２の底部側に、２つの第２のソール部４および５が配置される。第２のソール部のうちの１つのソール部４はインソール１の前部６に位置付けられ、もう１つのソール部５はインソール１の後部７に配置される。
【００２１】
２つのソール部４および５は、第１のソール部２の底部側に配置される別個の成形部分であり、それによって、２つの第２のソール部４および５は、第１のソール部２の底部側に固めるように接着される。
【００２２】
第１のソール部２は、ソールの縦方向Ｌに沿って可変である第１の高さｈ1を有する。高さｈ1は、インソール１が意図されたように使用され（および、ひいては地面に平らに置かれ）る時測定される垂直方向Ｖにおける伸張範囲である。しかしながら、図１において、インソール１が外力を受けない時のインソール１に対してもたらされる状態が示されている。見ることができるように、この場合、インソールは、図１による側面図に見られる略Ｖ字形の外形になっていることで、上方にアーチ状になっており、上で挙げられた説明の意味において、空気がインソール１の下に到達でき、かつ、インソール１が使用される靴の乾燥を改善するのに大きく貢献できるようにすることを可能にする。
【００２３】
上記の、上方にアーチ状にすることを外力を受けない場合に生じさせることができるように、弾性要素８が、２つの第２のソール部４および５の間に効果的に配置されることで、２つの第２のソール部４および５がソールの縦方向Ｌにおいて確実に収縮するようにする。弾性要素８は、２つの第２のソール部４および５を互いに連結させるように設けられ、ここで、弾性要素８では、この２つの端部９および１０が、２つの第２のソール部４および５において第２の高さｈ2の伸張範囲内でそれぞれ係合される。そのように、外力がない状態で、図１に示される形状にインソール１がなるようにする。
【００２４】
図１および図２の概要で分かるように、２つの弾性要素８は、実施形態において、これらの端部９および１０それぞれによって、２つのソール部４および５それぞれに影響を与えるゴム紐として設計される。２つのソール部４および５の間に、２つの弾性要素８のみが配置されている空き領域１１が残されている。
【００２５】
図１からわかるように、第１のソール部２は、既述したように、第１の高さｈ1を有するが、これは、図１からすぐにわかるように縦方向Ｌに沿って一定ではない。一方では、２つの第２のソール部４および５は、実施形態において、一定の第２の高さｈ2を有する。
【００２６】
図1からわかるように、弾性要素８は、実施形態では、第1のソール部２と、対応する第２のソール部４および５との間の遷移領域において影響を与え、かつ、この弾性要素８の端部９および１０の間に張力を発生させる。
【００２７】
同じことが、図２から明らかとなるように、高さＨおよび幅Ｂで、弾性要素８をゴム紐として実現することによって生じる。
【００２８】
第１のソール部２は、３次元成形部分として現在設計されており、これは、実際には、前足領域において実質的に平坦な形状を有するが、後足領域においてシェル形かかと領域１３を有する。
【００２９】
２つの第２のソール部４および５は、実質的に大部分が平面ベースの外形を有し、かつ、実施形態では、複数の通気用凹部１２を備えた発泡材料から成り、これは、図２において第２のソール部５における小断面で示されている。
【００３０】
説明した概念によって、２つの弾性要素８によって、ソールの縦方向Ｌに直角の軸Ｑを中心に作用する曲げトルクを生じさせること、および、外力がかけられない場合にインソール１を図１に従って図示される形にする、すなわち、インソール１が、上方にアーチ状になり、かつ、意図される使用で置かれた状態で、インソール１の底部側と、（図示されない）中底、ミッドソール、またはアウターソールとの間の領域における空気の進入を可能にすることが達成される。
【００３１】
そうすることによって、インソール１は、費用効率の高いやり方で製造可能となるように、かつ、インソール１が使用される靴を使用しない時にインソール１の改善された乾燥を可能にするようにもたらされる。
【符号の説明】
【００３２】
１  インソール
２  第１のソール部
３  起立面
４  第２のソール部
５  第２のソール部
６  インソールの前部
７  インソールの後部
８  弾性要素
９  弾性要素の端部
１０  弾性要素の端部
１１  空き領域
１２  通気用凹部
１３  シェル形かかと領域
ｈ1  第１の高さ
ｈ2  第２の高さ
Ｈ  弾性要素の高さ
Ｂ  弾性要素の幅
Ｖ  垂直方向
Ｌ  ソールの縦方向
Ｑ  ソールの縦方向に直角の軸
【図１】
2019505317.tif 000003
【図２】
2019505317.tif 000004
【国際調査報告】
2019505317.tif 000005
2019505317.tif 000006
2019505317.tif 000007
2019505317.tif 000008